(57)【要約】【課題】電子機器の状態を当該電子器の着目する入力値が所定の範囲にあるか否かの判定に基づいて優先状態と非優先状態とに切り換える場合に、初回の判定時には優先的に切り換えたい状態になりやすいように制御できるようにする。【解決手段】受信レベル（入力値）が所定の範囲にあるか否かを判定して、優先状態（１２セグ放送の受信状態）と非優先状態（例えば、１セグ放送の受信状態）との切り換えをヒステリシス制御によって行う場合に、電源投入時やテレビ起動時などの初回判定時には、１２セグ放送への上り閾値Ｌ１以上（第１の範囲）より広い範囲である初回用閾値Ｌ３以上（初回用範囲）に受信レベル（入力値）があるかどうかに基づいて判定を行う。【選択図】  図２
2010154346.tif 000002
【特許請求の範囲】
【請求項１】
電子機器の状態を当該電子器の着目する入力値が所定の範囲にあるか否かの判定に基づいて、前記所定の範囲に対応する優先状態か当該優先状態と排他的な関係にある非優先状態かに切り換える電子機器であって、
前記入力値が前記優先状態に対応する第１の優先範囲にあるか否かを判定する第１の判定手段と、
当該電子機器の状態が前記非優先状態にあるときに、前記第１の判定手段によって入力値が第１の優先範囲にあると判定された場合、当該電子機器の状態を前記優先状態に切り換える第１の切換手段と、
前記入力値が前記第１の優先範囲より広い範囲である初回用優先範囲にあるか否かを判定する第２の判定手段と、
前記第１の判定手段又は前記第２の判定手段を用いた判定が初回の判定であるか否かを判断する初回判断手段と、
この初回判断手段によって前記判定が初回の判定であると判断され、かつ、前記第２の判定手段によって入力値が初回用優先範囲にあると判定された場合、当該電子機器の状態を前記優先状態に切り換える第２の切換手段と、
を具備したことを特徴とする電子機器。
【請求項２】
前記初回判断手段によって前記判定が初回であると判断され、かつ、前記第２の判定手段によって前記入力値が前記初回用優先範囲にないと判定された場合、当該電子機器の状態を前記非優先状態に切り換える第３の切換手段を更に備える、
ようにしたことを特徴とする請求項１記載の電子機器。
【請求項３】
前記入力値が前記初回用優先範囲に比べてほぼ同様の範囲又は狭い範囲である第２の優先範囲にあるか否かを判定する第３の判定手段を更に備える、
ようにしたことを特徴とする請求項１記載の電子機器。
【請求項４】
当該電子機器の状態が前記優先状態にあるとき、前記第３の判定手段によって前記着目する値が前記第２の優先範囲にあると判定された場合、当該電子機器の状態を前記非優先状態に切り換える第４の切換手段を更に備える、
ようにしたことを特徴とする請求項３記載の電子機器。
【請求項５】
前記優先状態と前記非優先状態とをユーザ操作によって設定可能な優先状態設定手段を更に備える、
ようにしたことを特徴とする請求項１記載の電子機器。
【請求項６】
地上波デジタル放送をセグメント単位で選択的に受信する受信手段と、
この受信手段による受信状態の良否を示す受信レベルを検出する受信レベル検出手段と、
を更に備え、
前記入力値は、前記受信手段によって検出された受信レベルであり、
前記優先状態は、前記セグメント単位がより大きい単位である受信状態であり、
前記非優先状態は、前記セグメント単位がより小さい単位である受信状態である、
ようにしたことを特徴とする請求項１記載の電子機器。
【請求項７】
地上波デジタル放送をセグメント単位で選択的に受信する受信手段と、
この受信手段によって地上波デジタル放送を受信している場合に、この放送受信の電源となるバッテリーの残量を検出するバッテリー残量検出手段と、
を更に備え、
前記入力値は、前記バッテリー残量検出手段によって検出された前記バッテリー残量であり、
前記優先状態は、前記セグメント単位がより小さい単位である受信状態であり、
前記非優先状態は、前記セグメント単位がより大きい単位である受信状態である、
ことを特徴とする請求項１記載の電子機器。
【請求項８】
表示部を照明するか否かを制御する照明制御手段と、
周囲環境の照度を検出する検出手段と、
を更に備え、
前記入力値は、前記検出手段によって検出された照度レベルであり、
前記優先状態は、前記表示部の照明を抑制する状態であり、
前記非優先状態は、前記表示部を照明する状態である、
ことを特徴とする請求項１記載の電子機器。
【請求項９】
表示部を照明するか否かを制御する照明制御手段と、
周囲環境の照度を検出する検出手段と、
を更に備え、
前記入力値は、前記検出手段によって検出された照度レベルであり、
前記優先状態は、前記表示部を照明する状態であり、
前記非優先状態は、前記表示部の照明を抑制する状態である、
ことを特徴とする請求項１記載の電子機器。
【請求項１０】
電子機器の状態を当該電子器の着目する入力値が所定の範囲にあるか否かの判定に基づいて、前記所定の範囲に対応する優先状態か当該優先状態と排他的な関係にある非優先状態かに切り換える切換方法であって、
前記入力値が前記優先状態に対応する第１の優先範囲にあるか否かを判定するステップと、
当該電子機器の状態が前記非優先状態にあるときに、前記第１の判定手段によって入力値が第１の優先範囲にあると判定された場合、当該電子機器の状態を前記優先状態に切り換えるステップと、
前記入力値が前記第１の優先範囲より広い範囲である初回用優先範囲にあるか否かを判定するステップと、
前記第１の判定手段又は前記第２の判定手段を用いた判定が初回の判定であるか否かを判断するステップと、
この初回判断手段によって前記判定が初回の判定であると判断され、かつ、前記第２の判定手段によって入力値が初回用優先範囲にあると判定された場合、当該電子機器の状態を前記優先状態に切り換えるステップと、
を具備したことを特徴とする切換方法。
【請求項１１】
コンピュータに対して、
電子機器の状態を当該電子器の着目する入力値が所定の範囲にあるか否かの判定に基づいて、前記所定の範囲に対応する優先状態か当該優先状態と排他的な関係にある非優先状態かに切り換える場合に、前記入力値が前記優先状態に対応する第１の優先範囲にあるか否かを判定する機能と、
当該電子機器の状態が前記非優先状態にあるときに、前記入力値が第１の優先範囲にあると判定された場合、当該電子機器の状態を前記優先状態に切り換える機能と、
前記入力値が前記第１の優先範囲より広い範囲である初回用優先範囲にあるか否かを判定する機能と、
前記入力値が前記第１の優先範囲にあるか否かの判定又は前記初回用優先範囲にあるか否かの判定が初回の判定であるか否かを判断する機能と、
前記判定が初回の判定であると判断され、かつ、前記入力値が前記初回用優先範囲にあると判定された場合、当該電子機器の状態を前記優先状態に切り換える機能と、
を実現させるためのプログラム。
【発明の詳細な説明】
【技術分野】
【０００１】
この発明は、電子機器の状態を当該電子機器の着目する入力値が所定の範囲にあるか否かの判定に基づいて、この所定の範囲に対応する優先状態か当該優先状態と排他的な関係にある非優先状態かに切り換える電子機器並びにその切換方法及びプログラムに関する。
【背景技術】
【０００２】
一般に、地上デジタルテレビ放送では、放送局毎に割り当てられている１チャンネルを１３セグメントに分割し、この分割帯域の中の１２セグメントを高画質、高音質のハイビジョン放送用（高解像度の１２セグ放送用）とし、残りの１セグメントを移動体機器用（簡易型低解像度の１セグ放送用）としているが、１２セグ放送と１セグ放送とはデータの符号化レートに違いなどからエラーレート耐性が異なり、受信性能に開きがあるため、受信電波が弱い地域、場所によっては１２セグ放送を良好に受信できない場合に１セグ放送に切り換えようにすることが考えられている。例えば、１セグ放送と１２セグ放送とを切り換え可能な移動体用のデジタル放送受信装置としては、従来、テレビ放送の受信状況（受信電界強度や誤り率）を監視することによって、この受信状況に応じて高画質用／低画質用の放送を適切に切り換えるようにした技術が知られている（特許文献１参照）。
【特許文献１】特開２００５−２４４５３０号公報
【発明の開示】
【発明が解決しようとする課題】
【０００３】
しかしながら、上述した先行技術ではテレビ放送の受信状況に応じて高画質用／低画質用の放送に切り換えようにしているが、受信状況は移動などによって刻々変化しているため、この変化に応じて切り換えが頻繁に行われてしまう。
そこで、１２セグ放送／１セグ放送の切り換えをヒステリシス制御で行うことによって切り換え回数を減らして受信を安定化させることも考えられるが、電源投入後などの初回判定時において、受信レベルが低い状態から高い状態に遷移する際の閾値（１２セグ放送への上り閾値）に達するまでの間、あるいは受信レベルが高い状態から低い状態に遷移する際の閾値（１セグ放送への下り閾値）に達するまでの間は、ヒステリシス判定が不定となってしまう。このような場合、初回の判定時には、１セグ放送の受信状態に固定的に切り換えておくことも考えられるが、初回の判定時に１２セグ放送を良好に視聴可能な受信レベル、つまり、上り閾値未満で、下り閾値以上の受信レベルであっても、１セグ放送から１２セグ放送への切り換えが抑制されてしまうという問題が起きる。
【０００４】
このことは、１２セグ放送と１セグ放送との切り換えを行う場合に限らず、ヒステリシス制御で電子機器の状態を切り換え制御するような場合、例えば、周囲の環境変化（温度、照度など）に基づいて省エネ機能をＯＮ（オン）／ＯＦＦ（オフ）制御する場合でも同様の問題が起きる。すなわち、電子機器の着目する入力値（温度、照度など）が所定の範囲にあるか否かの判定に基づいて、この所定の範囲に対応する優先状態（例えば、省エネ機能のオン状態）に切り換えたり、この優先状態と排他的な関係にある非優先状態（例えば、省エネ機能のオフ状態）に切り換えたりする場合にも、上述の場合と同様に、初回の判定時に非優先状態に固定化されていると、入力値が優先状態に切り換え可能なレベルに達していても、その切り換えが抑制されてしまうという問題が起きる。
【０００５】
この発明の課題は、電子機器の状態を当該電子機器の着目する入力値が所定の範囲にあるか否かの判定に基づいて優先状態と非優先状態とに切り換える場合に、初回の判定時には優先的に切り換えたい状態になりやすいように制御できるようにすることである。
【課題を解決するための手段】
【０００６】
上述した課題を解決するために請求項１記載の発明は、電子機器の状態を当該電子器の着目する入力値が所定の範囲にあるか否かの判定に基づいて、前記所定の範囲に対応する優先状態か当該優先状態と排他的な関係にある非優先状態かに切り換える電子機器であって、前記入力値が前記優先状態に対応する第１の範囲にあるか否かを判定する第１の判定手段と、当該電子機器の状態が前記非優先状態にあるときに、前記第１の判定手段によって入力値が第１の範囲にあると判定された場合、当該電子機器の状態を前記優先状態に切り換える第１の切換手段と、前記入力値が前記第１の範囲より広い範囲である初回用範囲にあるか否かを判定する第２の判定手段と、前記第１の判定手段又は前記第２の判定手段を用いた判定が初回の判定であるか否かを判断する初回判断手段と、この初回判断手段によって前記判定が初回の判定であると判断され、かつ、前記第２の判定手段によって入力値が初回用範囲にあると判定された場合、当該電子機器の状態を前記優先状態に切り換える第２の切換手段と、を具備したことを特徴とする。
【０００７】
請求項１に従属する発明として、前記初回判断手段によって前記判定が初回であると判断され、かつ、前記第２の判定手段によって前記入力値が前記初回用範囲にないと判定された場合、当該電子機器の状態を前記非優先状態に切り換える第３の切換手段を更に備える、ようにしたことを特徴とする請求項２記載の発明であってもよい。
【０００８】
請求項１に従属する発明として、前記入力値が前記初回用範囲の排他的な範囲より狭い範囲である第２の範囲にあるか否かを判定する第３の判定手段を更に備える、ようにしたことを特徴とする請求項３記載の発明であってもよい。
【０００９】
請求項３に従属する発明として、当該電子機器の状態が前記優先状態にあるとき、前記第３の判定手段によって前記入力値が前記第２の範囲にあると判定された場合、当該電子機器の状態を前記非優先状態に切り換える第４の切換手段を更に備える、ようにしたことを特徴とする請求項４記載の発明であってもよい。
【００１０】
請求項１に従属する発明として、前記優先状態と前記非優先状態とをユーザ操作によって設定可能な優先状態設定手段を更に備える、ようにしたことを特徴とする請求項５記載の発明であってもよい。
【００１１】
請求項１に従属する発明として、地上波デジタル放送をセグメント単位で選択的に受信する受信手段と、この受信手段による受信状態の良否を示す受信レベルを検出する受信レベル検出手段と、を更に備え、前記入力値は、前記受信手段によって検出された受信レベルであり、前記優先状態は、前記セグメント単位がより大きい単位である受信状態であり、前記非優先状態は、前記セグメント単位がより小さい単位である受信状態である、ようにしたことを特徴とする請求項６記載の発明であってもよい。
【００１２】
請求項１に従属する発明として、地上波デジタル放送をセグメント単位で選択的に受信する受信手段と、この受信手段によって地上波デジタル放送を受信している場合に、この放送受信の電源となるバッテリーの残量を検出するバッテリー残量検出手段と、を更に備え、前記入力値は、前記バッテリー残量検出手段によって検出された前記バッテリー残量であり、前記優先状態は、前記セグメント単位がより小さい単位である受信状態であり、前記非優先状態は、前記セグメント単位がより大きい単位である受信状態である、ようにしたことを特徴とする請求項７記載の発明であってもよい。
【００１３】
請求項１に従属する発明として、表示部を照明するか否かを制御する照明制御手段と、周囲環境の照度を検出する検出手段と、を更に備え、前記入力値は、前記検出手段によって検出された照度レベルであり、前記優先状態は、前記表示部の照明を抑制する状態であり、前記非優先状態は、前記表示部を照明する状態である、ことを特徴とする請求項８記載の発明であってもよい。
【００１４】
請求項１に従属する発明として、表示部を照明するか否かを制御する照明制御手段と、周囲環境の照度を検出する検出手段と、を更に備え、前記入力値は、前記検出手段によって検出された照度レベルであり、前記優先状態は、前記表示部を照明する状態であり、前記非優先状態は、前記表示部の照明を抑制する状態である、ことを特徴とする請求項９記載の発明であってもよい。
【００１５】
また、上述した課題を解決するために請求項１０記載の発明は、電子機器の状態を当該電子器の着目する入力値が所定の範囲にあるか否かの判定に基づいて、前記所定の範囲に対応する優先状態か当該優先状態と排他的な関係にある非優先状態かに切り換える切換方法であって、前記入力値が前記優先状態に対応する第１の範囲にあるか否かを判定するステップと、当該電子機器の状態が前記非優先状態にあるときに、前記第１の判定手段によって入力値が第１の範囲にあると判定された場合、当該電子機器の状態を前記優先状態に切り換えるステップと、前記入力値が前記第１の範囲より広い範囲である初回用範囲にあるか否かを判定するステップと、前記第１の判定手段又は前記第２の判定手段を用いた判定が初回の判定であるか否かを判断する初回判断手段と、この初回判断手段によって前記判定が初回の判定であると判断され、かつ、前記第２の判定手段によって入力値が初回用範囲にあると判定された場合、当該電子機器の状態を前記優先状態に切り換えるステップと、を具備したことを特徴とする。
【００１６】
また、上述した課題を解決するために請求項１１記載の発明は、コンピュータに対して、電子機器の状態を当該電子器の着目する入力値が所定の範囲にあるか否かの判定に基づいて、前記所定の範囲に対応する優先状態か当該優先状態と排他的な関係にある非優先状態かに切り換える場合に、前記入力値が前記優先状態に対応する第１の範囲にあるか否かを判定する機能と、当該電子機器の状態が前記非優先状態にあるときに、前記入力値が第１の範囲にあると判定された場合、当該電子機器の状態を前記優先状態に切り換える機能と、前記入力値が前記第１の範囲より広い範囲である初回用範囲にあるか否かを判定する機能と、前記入力値が前記第１の範囲にあるか否かの判定又は前記初回用範囲にあるか否かの判定が初回の判定であるか否かを判断する機能と、前記判定が初回の判定であると判断され、かつ、前記入力値が前記初回用範囲にあると判定された場合、当該電子機器の状態を前記優先状態に切り換える機能と、を実現させるためのプログラムを特徴とする。
【発明の効果】
【００１７】
この発明によれば、入力値が所定の範囲にあるか否かを判定する場合に、初回の判定時には優先的に切り換えたい状態になりやすいように制御することができ、実情に即した適切な制御が可能となる。
【発明を実施するための最良の形態】
【００１８】
（実施形態１）
以下、図１〜図５を参照して本発明の第１実施形態を説明する。
この実施形態は、電子機器として携帯電話機に適用した場合を例示したもので、図１は、この携帯電話機の基本的な構成要素を示したブロック図である。
携帯電話機は、通話機能、電子メール機能、インターネット接続機能（Ｗｅｂアクセス機能）、テレビ放送受信機能などが備えられている。このテレビ機能は、テレビ放送を受信してその放送内容を出力する機能であり、高解像度のデジタルテレビ放送（１２セグ放送）の受信状態と１２セグ放送よりも低解像度のデジタルテレビ放送（１セグ放送）の受信状態との切り換えが可能となっている。
【００１９】
中央制御部１は、二次電池を備えた電源部２からの電力供給によって動作し、記憶部３内の各種のプログラムに応じてこの携帯電話機の全体動作を制御する中央演算処理装置、メモリなどを有している。記憶部３には、図５に示す動作手順に応じて本実施形態を実現するためのプログラムや各種のアプリケーションなどが格納されているほか、それらに必要な各種の情報が記憶されている。この記憶部３内の設定情報記憶部Ｍは、後述するが、１２セグ放送の受信状態と１セグ放送の受信状態との切り換えに関する設定情報を記憶するものである。
【００２０】
無線通信部４は、通話機能の動作時にベースバンド部の受信側から信号を取り込んで受信ベースバンド信号に復調したのち、通話用スピーカＳＰから音声出力させ、また、通話用マイクＭＣからの入力音声を取り込み、送信ベースバンド信号に符号化したのち、ベースバンド部の送信側に与えてアンテナから発信出力させる。表示部５は、高精細液晶を使用し、例えば、文字情報、待受画像、テレビ映像などの各種の情報を表示するもので、この表示部５には、液晶画面を照明するバックライトＢＬを有している。中央制御部１は、このバックライトＢＬのオン／オフを照度検出部６からの検出信号に応じて制御するようにしている。なお、バックライトＢＬのＯＮ（オン）／ＯＦＦ（オフ）制御については、後述する第２実施形態で説明するものとする。操作部７は、ダイヤル入力、文字入力、コマンド入力などを入力する。サウンドスピーカ８は、音楽やテレビ音声などを出力する。バッテリー検出部９は、電源部２の二次電池を監視してバッテリー残量の検出を行う。
【００２１】
テレビ放送受信部１０は、テレビ用アンテナによって受信した地上波デジタルテレビ放送信号の中から予め選局されているチャンネルの放送信号を抽出して、ＯＦＤＭ（直交周波数分割多重）復調を行ったり、多重化されている放送信号から映像、音声、データ（文字データ）に分離して復号化を行ったり、圧縮データの伸長などを行ったりするもので、フロントエンド部１１、バックエンド部１２を有する構成となっている。このフロントエンド部１１は、地上波デジタル放送をセグメント単位で選択的に受信するもので、予め選局されているチャンネルの放送信号を抽出するチューナ１３と、このチューナ１３からの放送信号をＯＦＤＭ復調して、映像や音声などが多重化されているＴＳ（トランスポートストリーム）信号を得るＯＦＤＭ復調部１４とを備えている。
【００２２】
バックエンド部１２は、データ分離部１５、デコーダ部１６、表示制御部１７を有する構成で、データ分離部１４は、多重化されているＴＳ信号をＯＦＤＭ復調部１４から受け取ると、このＴＳ信号を分離して音声、映像及びデータなどを得るもので、この映像ＰＥＳ（Packetized Elementary Stream）及び音声ＰＥＳは、デコーダ部１６に入力される。このデコーダ部１６は、映像ＰＥＳを処理する映像処理部１６ａと、インターレス／ブログレッシブ変換を行うＩＰ変換部１６ｂと、音声ＰＥＳを処理する音声処理部１６ｃを有している。
【００２３】
映像処理部１６ａは、映像ＰＥＳを復号化して圧縮化データを伸長するもので、この映像処理部２１ａによって処理された映像信号は、ＩＰ変換部１６ｂに与えられてインターレス・ブログレッシブ変換が行われる。このＩＰ変換部１６ｂによって変換されたブログレッシブ映像信号は、表示制御部１７に与えられる。表示制御部１７は、ＩＰ変換部１６ｂからのブログレッシブ映像信号（ＹＵＶ方式の映像信号）をＲＧＢ方式の映像信号に変換するなどの処理を行うもので、このＲＧＢ映像信号は、表示部５に与えられる。また、音声処理部１６ｃによってアナログ変換された音声信号は、サウンドスピーカ８に与えられる。
【００２４】
フロントエンド部１１、バックエンド部１２は、中央制御部１によって制御可能なもので、中央制御部１は、このフロントエンド部１１のＯＦＤＭ復調部１４からデジタルテレビ放送の受信状況（受信電界強度）を示す信号を受け取ると、セグメント単位がより大きい単位である受信状態（１２セグ放送の受信状態）と、セグメント単位がより小さい単位である受信状態（１セグ放送の受信状態）とを現在の受信状況に応じて切り換えるようにしている。
【００２５】
すなわち、ＯＦＤＭ復調部１４がＡＧＣ（Automatic Gain Control）の増幅度に応じたＡＧＣ信号を中央制御部１に与えると、中央制御部１は、このＡＧＣ信号に基づいて受信レベル（受信電界強度）を検出し、この受信レベルに応じて１２セグ放送の受信状態と１セグ放送の受信状態との切り換えを行うか、現在の受信状態をそのまま維持させるかを判定し、受信状態を切り換える場合には、その切り換え信号ＣＨを出力してＯＦＤＭ復調部１４に与えるようにしている。なお、中央制御部１は、この切り換え判定を定期的（例えば、１秒毎）に行うようにしているが、この判定タイミングは任意であり、ユーザ操作によって任意に設定するようにしてもよい。また、受信レベルに応じて１２セグ放送の受信状態と１セグ放送の受信状態との切り換えを行う場合に限らず、ユーザ操作によって任意に切り換え可能となっている。
【００２６】
ここで、ＯＦＤＭ復調部１４は、この切り換え信号ＣＨが１２セグ放送への切り換えを指示する信号であれば、１２セグの放送信号のみをＯＦＤＭ復調し、また、１セグ放送への切り換えを指示する信号であれば、１セグの放送信号のみをＯＦＤＭ復調し、バックエンド部１２のデータ分離部２５にＴＳ信号として与える。これによって１２セグ放送の出力（視聴）状態から１セグ放送の出力（視聴）状態に切り換えられ、逆に、１セグ放送の視聴状態から１２セグ放送の視聴状態に切り換えられる。
【００２７】
図２は、デジタルテレビ放送の受信レベルに応じて１２セグ放送と１セグ放送とが逐次切り換わる様子（高画質視聴優先の場合）を示した図である。
ここで、図中、縦軸は受信レベルを示し、横軸は時間を示している。中央制御部１は、現在の受信レベルに応じて１２セグ放送と１セグ放送との切り換えを行う場合に、ヒステリシス制御を用いて切り換えるようにしている。すなわち、切り換え判定用として異なる２つの閾値、つまり、受信レベル（入力値）が低い状態から高い状態に遷移する際の閾値（１２セグ放送への上り閾値）Ｌ１と、逆に、受信レベルが高い状態から低い状態に遷移する際の閾値（１セグ放送への下り閾値）Ｌ２を設け、受信レベルが１２セグ放送への上り閾値Ｌ１に達した際に、１２セグ放送への切り換えを行う。その後、受信レベルが１セグ放送への下り閾値Ｌ２に達するまでの間は１２セグ放送を維持するが、この閾値Ｌ２に達した際に、１セグ放送への切り換えを行うようにしている。
【００２８】
この場合、テレビ起動時などの初回判定時には、このヒステリシス制御を無効とするために、切り換え判定用閾値として、１２セグ放送への上り閾値Ｌ１を用いず、初回用閾値Ｌ３を用いるようにしている。ここで、初回判定時とは、電源投入後などの直後から切り換え判定タイミングに達するまでの間であり、この初回判定時に使用される初回用閾値Ｌ３は、１セグ放送への下り閾値Ｌ２とほぼ同様の値（若干大きな値又は若干小さな値）となっている。１セグ放送の下限閾値Ｌ４は、１セグ放送を良好に受信することができるか、受信不良（受信失敗）かを判定するための閾値である。ここで、初回判定時においては、１２セグ放送を優先（高画質視聴優先）させるために受信レベルが初回用閾値Ｌ３以上（初回用範囲）であれば、１２セグ放送への切り換えを行うが、初回用閾値Ｌ２未満であれば、１セグ放送への切り換えを行うようにしている。
【００２９】
このように初回判定に１２セグ放送の高画質視聴を優先させるようにしているため、１２セグ放送の受信状態を優先状態と称し、１セグ放送の受信状態を優先状態と排他的な関係にある非優先状態と称すると、初回判定時にはヒステリシス制御を無効とするために初回用閾値Ｌ３を基準として優先状態と非優先状態との切り換えを行い、それ以降の判定時には、ヒステリシス制御を有効として１２セグ放送への上り閾値Ｌ１以上（第１の範囲）か、１セグ放送への下り閾値Ｌ２以下（第２の範囲）であるかに応じて優先状態と非優先状態との切り換えを行うようにしている。また、初回用閾値Ｌ３以上（初回用範囲）は、１セグ放送への下り閾値Ｌ２とほぼ同様の値であるため、１２セグ放送への上り閾値Ｌ１以上（第１の範囲）よりも広い範囲となっている。また、上述した第２の範囲は、初回用範囲の排他的な範囲より狭い範囲となっている。なお、１セグ放送の下限閾値Ｌ４以下を第３の範囲と称し、この第３の範囲に対応する状態である受信不能状態（非優先状態）を特に第２の非優先状態と称する。
【００３０】
図３は、設定情報記憶部Ｍを説明するための図である。
この設定情報記憶部Ｍは、１２セグ放送と１セグ放送との切り換えに関する設定情報を記憶するもので、「ユーザ設定モード」、「着目する入力値」、「優先状態」、「非優先状態」の各項目を有し、それらの内容はユーザ操作によって任意に設定されたものである。「ユーザ設定モード」は、１２セグ放送と１セグ放送との切り換えをどのように行うかの動作モードとして、上述のように初回判定に１２セグ放送の視聴を優先させる“高画質視聴優先”のほか、この実施形態では現在のバッテリー残量でも長時間視聴を持続可能とする“長時間視聴優先”を有している。
【００３１】
この“高画質視聴優先”のモードと、“長時間視聴優先”のモードは、ユーザ操作によって任意に選択されたもので、中央制御部１は、ユーザ選択された動作モードに応じた制御を行うようにしている。ここで、“長時間視聴優先”は、重負荷のテレビ機能の動作で消費電力が増大することを考慮し、現在のバッテリー残量では高画質視聴よりも長時間視聴を優先させる方が得策であるなどの理由から選択される動作モードである。
【００３２】
「ユーザ設定モード」の“高画質視聴優先”に対応する「着目する入力値」、「優先状態」、「非優先状態」は、上述のように「着目する入力値」が放送信号の“受信レベル”、「優先状態」が１２放送の受信状態を示すセグ受信“１２セグ受信”、「非優先状態」が１放送の受信状態を示す“１セグ受信”となっている。また、「ユーザ設定モード」の“長時間視聴優先”に対応する「着目する入力値」、「優先状態」、「非優先状態」は、「着目する入力値」が“バッテリー残量”、「優先状態」が“１セグ受信”、「非優先状態」が“１２セグ受信”となっている。なお、“高画質視聴優先”、“長時間視聴優先”において、ユーザ操作によって「優先状態」と「非優先状態」の内容を図示の例とは逆に設定するようにしてもよい。
【００３３】
図４は、バッテリー残量に応じて１２セグ放送と１セグ放送とが逐次切り換わる様子（長時間視聴優先の場合）を示した図である。
ここで、図中、縦軸はバッテリー残量を示し、横軸は時間を示している。バッテリー残量は、重負荷回路の駆動によって低下するほか、電源部２の二次電池への充電や温度変化などによって増える場合があるが、このようなバッテリー残量の変化に応じて１２セグ放送と１セグ放送との切り換えを行う場合にも、図２で示したテレビ放送の受信レベルの場合と同様に、ヒステリシス制御を用いて切り換えるようにしている。
【００３４】
また、この“長時間視聴優先”の場合にも、上述の“高画質視聴優先”の場合と同様に、１２セグ放送と１セグ放送とを切り換える場合に、１２セグ放送への上り閾値Ｌ１と、１セグ放送への下り閾値Ｌ２とを使用してヒステリシス制御を行うようにしているが、初回判定時には、ヒステリシス制御を無効とするために、初回用閾値Ｌ３を使用し、バッテリー残量が初回用閾値Ｌ３未満であれば、１セグ放送の受信状態に切り換え、初回用閾値Ｌ３以上であれば、１２セグ放送の受信状態に切り換えるようにしている。この“長時間視聴優先”では、初回用閾値Ｌ３を１２セグ放送への上り閾値Ｌ１とほぼ同様の値としている。
【００３５】
次に、１２セグ放送の受信状態と１セグ放送の受信状態との切り換え動作を図５に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。なお、図５は、携帯電話機の全体動作のうち、本実施形態の特徴部分の動作概要を示したフローチャートであり、この図５のフローから抜けた際には、全体動作のメインフロー（図示省略）に戻る。
【００３６】
図５は、テレビ機能の起動を指示するテレビ起動操作に応じて実行開始される１２セグ放送の受信状態と１セグ放送の受信状態との切り換え処理（高画質視聴優先の場合）を示したフローチャートである。
なお、図５は、上述した“高画質視聴優先”の場合の切り換え処理を示したフローチャートであるが、“長時間視聴優先”の場合の切り換え処理については、“高画質視聴優先”の場合の切り換え処理と基本的に同様であるため、そのフローチャートは図示省略するものとする。
【００３７】
先ず、中央制御部１は、ＯＦＤＭ復調部１４からのＡＧＣ信号に基づいて現在の受信レベル（受信電界強度）を入力値として検出したのち（ステップＡ１）、検出した受信レベル（入力値）と１セグ放送の下限閾値Ｌ４とを比較し、入力値は下限閾値Ｌ４以下（第３の範囲）であるかを調べる（ステップＡ２）。いま、入力値が下限閾値Ｌ４以下であれば（ステップＡ２でＹＥＳ）、受信不能状態（第２の非優先状態）に切り換えて受信不能を教示する（ステップＡ３）。この場合、受信不能のエラーメッセージを表示させたり、音声出力させたりすることによって受信不能の報知を行う。そして、ステップＡ１に戻り、受信レベル（入力値）が１セグ放送の下限閾値Ｌ４を越えるまで上述のステップＡ１〜Ａ３を繰り返しながら待機状態となる。
【００３８】
ここで、入力値が１セグ放送の下限閾値Ｌ４を超えたり、超えていたりしていれば（ステップＡ２でＹＥＳ）、初回判定時であるかを調べるが（ステップＡ４）、テレビ起動時には初回判定時であるから（ステップＡ４でＹＥＳ）、検出した受信レベルの入力値と初回用閾値Ｌ３とを比較し、入力値は初回用閾値Ｌ３以上（初回用範囲）であるかを調べる（ステップＡ５）。いま、入力値が初回用閾値Ｌ３以上であれば（ステップＡ５でＹＥＳ）、１２セグ放送を良好に受信可能な受信レベルであるため、ＯＦＤＭ復調部１４に対して切り換え信号ＣＨを出力し、１２セグ放送受信状態への切り換えを行う（ステップＡ６）。
【００３９】
また、入力値が初回用閾値Ｌ３以上でなければ、つまり、１セグ放送の下限閾値Ｌ４＜入力値＜初回用閾値Ｌ３であれば（ステップＡ５でＮＯ）、ＯＦＤＭ復調部１４に対して切り換え信号ＣＨを出力し、１セグ放送受信状態への切り換えを行う（ステップＡ７）。そして、判定タイミング（例えば、１秒毎）になったかを調べながら（ステップＡ１５）、判定タイミングに達するまで待機状態となる。
このように初回判定時には、ヒステリシス制御を無効とし、初回用閾値Ｌ３を基準として、１２セグ放送の受信状態と１セグ放送の受信状態との切り換えが行われる。
【００４０】
ここで、判定タイミングに達した際には（ステップＡ１５でＹＥＳ）、上述のステップＡ１に戻り、現在の受信レベル（入力値）の検出を行う。ここで、入力値が１セグ放送の下限閾値Ｌ４以下でなければ（ステップＡ２でＮＯ）、ステップＡ４に移るが、この場合、初回判定時ではないので（ステップＡ４でＮＯ）、ヒステリシス制御に応じた切り換えを行う。すなわち、入力値は１セグ放送への下り閾値Ｌ２以下（第２の範囲）であるかを調べる（ステップＡ８）。いま、１セグ放送の下限閾値Ｌ４＜入力値≦１セグ放送への下り閾値Ｌ２であれば（ステップＡ８でＹＥＳ）、１セグ放送への切り換え又は１セグ放送を継続する（ステップＡ９）。
【００４１】
すなわち、１２セグ放送の受信状態において入力値が１セグ放送への下り閾値Ｌ２以下となった場合には、１セグ放送受信状態への切り換えを行うが、１セグ放送の受信状態において１セグ放送への下り閾値Ｌ２以下となった場合には、その切り換えを行わず、１セグ放送の受信状態をそのまま維持する。そして、判定タイミングに達するまで待機状態となり（ステップＡ１５）、判定タイミングに達すると（ステップＡ１５でＹＥＳ）、上述のステップＡ１に戻り、現在の受信レベル（入力値）の検出を行う。
【００４２】
また、入力値が１セグ放送への下り閾値Ｌ２以下でなければ（ステップＡ８でＮＯ）、１２セグ放送への上り閾値Ｌ１以上（第１の範囲）であるかを調べる（ステップＡ１０）。いま、入力値が１２セグ放送への上り閾値Ｌ１以上であれば（ステップＡ１０でＹＥＳ）、１２セグ放送への切り換え又は１２セグ放送を継続する（ステップＡ１１）。すなわち、現在、１セグ放送の受信状態で１２セグ放送への上り閾値Ｌ１以上となった場合には１２セグ放送受信状態への切り換えを行うが、現在、１２セグ放送の受信状態で１２セグ放送への上り閾値Ｌ１以上となった場合には、その切り換えを行わず、１２セグ放送の受信状態をそのまま維持する。そして、判定タイミングに達するまで待機状態となり（ステップＡ１５）、判定タイミングに達すると（ステップＡ１５でＹＥＳ）、上述のステップＡ１に戻り、現在の受信レベル（入力値）の検出を行う。
【００４３】
また、入力値が１セグ放送への下り閾値Ｌ２以下ではなく（ステップＡ８でＮＯ）、１２セグ放送への上り閾値Ｌ１以上でもない場合には（ステップＡ１０でＮＯ）、つまり、１セグ放送への下り閾値Ｌ２＜入力値＜１２セグ放送への上り閾値Ｌ１であれば、ステップＡ１２に移り、現在の受信状態は１セグ放送であるかを調べる。いま、１セグ放送の受信状態であれば（ステップＡ１２でＹＥＳ）、受信状態の切り換えを行わずに、１セグ放送の受信状態をそのまま継続する（ステップＡ１３）。
【００４４】
また、１２セグ放送の受信状態であれば（ステップＡ１２でＮＯ）、受信状態の切り換えを行わずに、１２セグ放送の受信状態をそのまま継続する（ステップＡ１４）。そして、判定タイミングに達するまで待機状態となり（ステップＡ１５）、判定タイミングに達すると（ステップＡ１５でＹＥＳ）、上述のステップＡ１に戻り、現在の受信レベル（入力値）の検出を行う。以下、同様の動作を判定タイミング毎に繰り返す。この状態においてテレビ終了の割り込み信号を受け取ると、この図５のフローの終了となる。
【００４５】
なお、上述の場合は“高画質視聴優先”の切り換え判定処理を示したが、“長時間視聴優先”の切り換え判定処理についても基本的に同様である。すなわち、図５のステップＡ１において、入力値としてバッテリー残量を検出する点が異なり、その他は、図５のフローと同様である。この場合、１２セグ放送と１セグ放送とを切り換える場合に、１２セグ放送への上り閾値Ｌ１と、１セグ放送への下り閾値Ｌ２とを使用してヒステリシス制御を行うようにしているが、初回判定時には、ヒステリシス制御を無効とするために、初回用閾値Ｌ３を使用し、バッテリー残量が初回用閾値Ｌ３未満であれば、消費電力が少ない１セグ放送の受信状態に切り換えられる。
【００４６】
以上のように、この第１実施形態においては、入力値が所定の範囲にあるか否かを判定して、優先状態（例えば、１２セグ放送の受信状態）と非優先状態（例えば、１セグ放送の受信状態）との切り換えを行う場合に、初回判定時には、１２セグ放送への上り閾値Ｌ１以上（第１の範囲）より広い範囲である初回用閾値Ｌ３以上（初回用範囲）に受信レベル（入力値）があるかどうかを判定するようにしたので、初回判定時には優先的に切り換えたい状態になりやすいように制御することができ、実情に即した適切な制御が可能となる。
【００４７】
初回判定時に入力値が初回用閾値Ｌ３以上（初回用範囲）にない場合には、非優先状態に切り換えるようにしたので、初回用範囲を基準として、優先状態、非優先状態のいずれか一方に切り換えることができる。
【００４８】
優先状態において入力値が１セグ放送への下り閾値Ｌ２以下（第２の範囲）にあると判定した場合には、優先状態から非優先状態に切り換えるようにしたので、通常のヒステリシス制御との整合を取ることができる。
【００４９】
優先状態と非優先状態とを設定情報記憶部Ｍにユーザ操作で設定可能としたので、ユーザの意向に沿って優先状態、非優先状態の設定が可能となる。
【００５０】
現在の受信レベルに応じて１２セグ放送と１セグ放送とを切り換えるようにしたので、受信レベルを指標にして、高画質視聴を優先させたい意向がある場合に、好適に用いることができる。
【００５１】
現在のバッテリー残量に応じて１２セグ放送と１セグ放送とを切り換えるようにしたので、バッテリー残量を指標にして、長時間視聴を優先させたい意向がある場合に、好適に用いることができる。
【００５２】
なお、上述した第１実施形態において、初回判定時に使用される初回用閾値Ｌ３は、１セグ放送への下り閾値Ｌ２の大きさとほぼ同様の値（若干大きな値又は若干小さな値）としたが、初回用閾値Ｌ３は、これに限らず、例えば、１２セグ放送への上り閾値Ｌ１と１セグ放送への下り閾値Ｌ２との中間点などであってもよい。
また、上述した第１実施形態において、入力値を受信レベルとしたが、この受信レベルのほか、誤り率などの受信状況を考慮するようにしてもよい。
【００５３】
（実施形態２）
以下、この発明の第２実施形態について図６〜図９を参照して説明する。
なお、上述した第１実施形態においては、現在の受信レベルに応じて１２セグ放送の受信状態と１セグ放送の受信状態とを切り換えるようにしたが、この第２実施形態においては、表示部５を照明するバックライトＢＬのＯＮ（オン）／ＯＦＦ（オフ）を照度検出部６からの検出信号に応じて制御するようにしたものである。ここで、両実施形態において基本的あるいは名称的に同一のものは、同一符号を付して示し、その説明を省略すると共に、以下、第２実施形態の特徴部分を中心に説明するものとする。
【００５４】
図１で示した照度検出部６は、フォトダイオードなどを使用して周囲環境の照度を検出するもので、中央制御部１は、照度検出部６によって検出された現在の照度レベルに基づいて照明用バックライトＢＬのＯＮ／ＯＦＦを制御するようにしている。この場合、バックライトＢＬのＯＮ／ＯＦＦの切り換えには、上述した第１実施形態と同様に、ヒステリシス制御を用いて行うようにしている。この場合、電源オン時などの初回判定時には、このヒステリシス制御を無効とするために、切り換え判定用閾値として、初回用閾値を用いるようにしている。その他、上述の第１実施形態で説明した図１は、この第２実施形態においても同様であるため、その説明は省略する。
【００５５】
図６は、第２実施形態における設定情報記憶部Ｍを説明するための図である。
この設定情報記憶部Ｍは、照明用バックライトＢＬのＯＮ／ＯＦＦの切り換えに関する設定情報を記憶するもので、「ユーザ設定モード」、「着目する入力値」、「優先状態」、「非優先状態」の各項目を有し、それらの内容はユーザ操作によって任意に設定されたものである。「ユーザ設定モード」は、照明用バックライトＢＬのＯＮ／ＯＦＦをどのように行うかの動作モードとして、“省電力優先”、“見易さ優先”を有している。
【００５６】
“省電力優先”は、初回判定時において照明用バックライトＢＬのＯＦＦを優先させるモードであり、“見易さ優先”は、初回判定時において照明用バックライトＢＬのＯＮを優先させるモードである。この“省電力優先”
のモードと、“見易さ優先” のモードは、ユーザ操作によって任意に選択されたもので、中央制御部１は、ユーザ選択された動作モードに応じた制御を行うようにしている。この場合、“省電力優先”の「着目する入力値」は周囲環境の照度レベル、「優先状態」はバックライトＢＬのＯＦＦ、「非優先状態」はバックライトＢＬのＯＮを示している。また、“見易さ優先”の「着目する入力値」は周囲環境の照度レベル、「優先状態」はバックライトＢＬのＯＮ、「非優先状態」はバックライトＢＬのＯＦＦを示している。なお、ユーザ操作によって「優先状態」と「非優先状態」の内容を図示の例とは逆に設定するようにしてもよい。
【００５７】
図７は、第２実施形態において周囲環境の照度レベルに応じて照明用バックライトＢＬがＯＮ／ＯＦＦに切り換わる様子（省電力優先の場合）を示した図である。
ここで、図中、縦軸は照度レベルを示し、横軸は時間を示している。中央制御部１は、照度レベルに応じて照明用バックライトＢＬのＯＮ／ＯＦＦの切り換えをヒステリシス制御を用いて行う場合に、切り換え判定用として異なる２つの閾値、つまり、照度レベル（入力値）が低い状態から高い状態に遷移する際の閾値（バックライトＯＦＦへの上り閾値）Ｌ１と、逆に、照度レベルが高い状態から低い状態に遷移する際の閾値（バックライトＯＮへの下り閾値）Ｌ２を設け、照度レベルが上り閾値Ｌ１に達した際に、バックライトＢＬをＯＦＦするようにしている。その後、照度レベルが下り閾値Ｌ２に達するまでの間はバックライトＢＬのＯＦＦを維持するが、この下り閾値Ｌ２に達した際には、バックライトＢＬをＯＮするようにしている。この場合、電源投入時などの初回判定時には、このヒステリシス制御を無効とするために、切り換え判定用閾値として、バックライトＯＦＦへの上り閾値Ｌ１を用いず、初回用閾値Ｌ３を用いるようにしている。ここで、初回判定時に使用される初回用閾値Ｌ３は、上述した第１実施形態と同様に、バックライトＯＮへの下り閾値Ｌ２の大きさとほぼ同様の値（若干大きな値又は若干小さな値）となっている。なお、第２実施形態においては上述した第１実施形態で示した下限閾値Ｌ４は、不要である。
【００５８】
図８は、第２実施形態において、周囲環境の照度レベルに応じて照明用バックライトＢＬがＯＮ／ＯＦＦに切り換わる様子（見易さ優先の場合）を示した図である。
ここで、図中、縦軸は照度レベルを示し、横軸は時間を示している。この“見易さ優先”においても上述の“省電力優先”の場合と同様に、照明用バックライトＢＬのＯＮ／ＯＦＦを切り換える場合に、バックライトＯＦＦへの上り閾値Ｌ１と、バックライトＯＮへの下り閾値Ｌ２とを使用してヒステリシス制御を行うようにしているが、初回判定時には、ヒステリシス制御を無効とするために、初回用閾値Ｌ３を使用し、照度レベルが初回用閾値Ｌ３未満であれば、バックライトＯＦＦに切り換え、初回用閾値Ｌ３以上であれば、バックライトＯＮに切り換えるようにしている。この“見易さ優先”では、初回用閾値Ｌ３をバックライトＯＦＦへの上り閾値Ｌ１とほぼ同様の値としている。
【００５９】
図９は、電源投入時に実行開始される照明用バックライトＢＬのＯＮ／ＯＦＦ切り換え処理（省電力優先の場合）を示したフローチャートである。なお、図９は、上述した“省電力優先”の場合の切り換え処理を示したフローチャートであるが、“見易さ優先”の場合の切り換え処理については、“省電力優先”の場合の切り換え処理と基本的に同様であるため、そのフローチャートは図示省略するものとする。また、このバックライトＢＬのＯＮ／ＯＦＦ切り換え処理も、図５で示した切り換え処理と基本的には同様であるため、その説明を簡単に行うものとする。
先ず、中央制御部１は、照度検出部６からの検出信号に基づいて現在の照度レベルを入力値として検出したのち（ステップＢ１）、初回判定時かを調べるが（ステップＢ２）、電源投入時には初回判定時であるから（ステップＢ２でＹＥＳ）、検出した照度レベルの入力値と初回用閾値Ｌ３とを比較し、入力値は初回用閾値Ｌ３以上（初回用範囲）であるかを調べる（ステップＢ３）。
【００６０】
いま、入力値が初回用閾値Ｌ３以上であれば（ステップＢ３でＹＥＳ）、周囲環境が明るいため、バックライトＢＬをＯＦＦさせるが（ステップＢ４）、入力値が初回用閾値Ｌ３以上でなければ（ステップＢ３でＮＯ）、バックライトＢＬをＯＮさせる（ステップＢ５）。そして、判定タイミング（例えば、１秒毎）になったかを調べ（ステップＢ１３）、判定タイミングに達するまで待機状態となる。
このように初回判定時には、ヒステリシス制御を無効とし、初回用閾値Ｌ３を基準として、バックライトＢＬのＯＮ／ＯＦＦを制御する。
【００６１】
ここで、判定タイミングに達すると（ステップＢ１３でＹＥＳ）、上述のステップＢ１に戻り、現在の照度レベル（入力値）を検出したのち、次のステップＢ２に移るが、この場合、初回判定時ではないので（ステップＢ２でＮＯ）、ヒステリシス制御に応じた切り換えを行う。先ず、入力値はバックライトＯＮへの下り閾値Ｌ２以下（第２の範囲）であるかを調べ（ステップＢ６）、下り閾値Ｌ２以下であれば（ステップＢ６でＹＥＳ）、バックライトＯＮへの切り換え又はバックライトＯＮを継続する（ステップＢ７）。
【００６２】
また、入力値がバックライトＯＮへの下り閾値Ｌ２以下でなければ（ステップＢ７でＮＯ）、バックライトＯＦＦへの上り閾値Ｌ１以上（第１の範囲）であるかを調べる（ステップＢ８）。いま、入力値がバックライトＯＦＦへの上り閾値Ｌ１以上であれば（ステップＢ８でＹＥＳ）、バックライトＯＦＦへの切り換え又はバックライトＯＦＦを継続する（ステップＢ９）。
【００６３】
また、入力値がバックライトＯＮへの下り閾値Ｌ２以下ではなく（ステップＢ６でＮＯ）、バックライトＯＦＦへの上り閾値Ｌ１以上でもない場合には（ステップＢ８でＮＯ）、ステップＢ１０に移り、現在、バックライトＢＬはＯＮ状態かを調べる。いま、ＯＮ状態であれば（ステップＢ１０でＹＥＳ）、ＯＮ／ＯＦＦの切り換えを行わずに、バックライトＢＬのＯＮ状態をそのまま継続する（ステップＢ１１）。また、バックライトＢＬがＯＦＦ状態であれば（ステップＢ１０でＮＯ）、ＯＮ／ＯＦＦの切り換えを行わずに、バックライトＢＬのＯＦＦ状態をそのまま継続する（ステップＢ１２）。
【００６４】
そして、判定タイミングに達するまで待機状態となり（ステップＢ１３）、判定タイミングに達すると（ステップＢ１３でＹＥＳ）、上述のステップＢ１に戻り、現在の照度レベル（入力値）を検出する。以下、同様の動作を判定タイミング毎に繰り返す。この状態において電源オフの割り込み信号を受け取ると、この図９のフローの終了となる。
なお、図９は、“省電力優先”の場合を例示したが、優先状態と非優先状態とを逆転させた“見易さ優先”の場合にも同様に適用可能である。
【００６５】
以上のように、この第２実施形態においては、照度レベル（入力値）が所定の範囲にあるか否かを判定して、優先状態（バックライトＯＦＦ）と非優先状態（バックライトＯＮ）との切り換えを行う場合に、初回判定時には、バックライトＯＦＦへの上り閾値Ｌ１以上（第１の範囲）より広い範囲である初回用閾値Ｌ３以上（初回用範囲）に照度レベル（入力値）があるかどうかを判定するようにしたので、初回判定時には優先的に切り換えたい状態になりやすいように制御することができ、実情に即した適切な制御が可能となる。
【００６６】
なお、上述した図９においては、優先状態をバックライトＯＦＦ、非優先状態をバックライトＯＮとする“省電力優先”の場合を例示したが、これとは逆に、優先状態をバックライトＯＮ、非優先状態をバックライトＯＦＦとする“見易さ優先”の場合にも同様に適用可能であり、初回判定時には優先的に切り換えたい状態になりやすいように制御することができ、実情に即した適切な制御が可能となる。
【００６７】
また、上述した第２実施形態において、初回判定時に使用される初回用閾値Ｌ３は、１セグ放送への下り閾値Ｌ２の大きさとほぼ同様の値（若干大きな値又は若干小さな値）としたが、初回用閾値Ｌ３は、これに限らず、例えば、バックライトＯＦＦへの上り閾値Ｌ１とバックライトＯＮへの下り閾値Ｌ２との中間点などであってもよい。
【００６８】
また、上述した第２実施形態においては、バックライトＢＬのＯＮ／ＯＦＦを制御するようにしたが、ＯＮ／ＯＦＦ以外にも輝度を制御するようにしてもよい。例えば、“省電力優先”の場合には、バックライトＯＦＦへの上り閾値Ｌ１とバックライトＯＮへの下り閾値Ｌ２との間では輝度を低くし、バックライトＯＮへの下り閾値Ｌ２以下では輝度を高くするようにしてもよい。
【００６９】
その他、上述した各実施形態で示した放送受信の切り換え制御や表示用バックライトのＯＮ／ＯＦＦ制御に限らず、例えば、自動車ヘッドライトのＯＮ／ＯＦＦ制御や輝度制御などにも適用可能である。
また、上述した各実施形態においては携帯電話機に適用した場合を示したが、携帯電話機に限らず、パーソナルコンピュータ、ＰＤＡ、デジタルカメラ、音楽プレイヤーなどの電子機器であってもよい。
【図面の簡単な説明】
【００７０】
【図１】電子機器として適用した携帯電話機の基本的な構成要素を示したブロック図。
【図２】デジタルテレビ放送の受信レベルに応じて１２セグ放送と１セグ放送とが逐次切り換わる様子（高画質視聴優先の場合）を示した図。
【図３】設定情報記憶部Ｍを説明するための図。
【図４】バッテリー残量に応じて１２セグ放送と１セグ放送とが逐次切り換わる様子（長時間視聴優先の場合）を示した図。
【図５】テレビ機能の起動を指示する起動操作に応じて実行開始される１２セグ放送の受信状態と１セグ放送の受信状態との切り換え処理（高画質視聴優先の場合）を示したフローチャート。
【図６】第２実施形態における設定情報記憶部Ｍを説明するための図。
【図７】第２実施形態において、周囲環境の照度レベルに応じて照明用バックライトＢＬがＯＮ／ＯＦＦに切り換わる様子（省電力優先の場合）を示した図である。
【図８】第２実施形態において、周囲環境の照度レベルに応じて照明用バックライトＢＬがＯＮ／ＯＦＦに切り換わる様子（見易さ優先の場合）を示した図。
【図９】第２実施形態において、電源投入時に実行開始される照明用バックライトＢＬのＯＮ／ＯＦＦ切り換え処理（省電力優先の場合）を示したフローチャート。
【符号の説明】
【００７１】
１  中央制御部
３  記憶部
５  表示部
６  照度検出部
７  操作部
８  サウンドスピーカ
９  バッテリー検出部
１０  テレビ放送受信部
１１  フロントエンド部
１２  バックエンド部
１３  チューナ
１４  ＯＦＤＭ復調部
１５  データ分離部
１６  デコーダ部
Ｌ１  １２セグ放送への上り閾値／バックライトＯＦＦへの上り閾値
Ｌ２  １セグ放送への下り閾値／バックライトＯＮへの下り閾値
Ｌ３  初回用閾値
Ｌ４  １セグ放送の下限閾値
【図１】
2010154346.tif 000003
【図２】
2010154346.tif 000004
【図３】
2010154346.tif 000005
【図４】
2010154346.tif 000006
【図５】
2010154346.tif 000007
【図６】
2010154346.tif 000008
【図７】
2010154346.tif 000009
【図８】
2010154346.tif 000010
【図９】
2010154346.tif 000011